(57)【特許請求の範囲】
【請求項１】
椅子等の座位箇所に、クッション部全体を支える剛体製座板を設け、この座板のうちの腰部を支える箇所を他の箇所に比較して低位置構成の後座部とし、前記クッション部に、前記座板の後座部に対応して、後座部を満たすように肉厚に構成した突出部を設け、前記クッション部の上面を椅子前方側から背もたれ側に向かって低く傾斜形成した構成とすることを特徴とする椅子等の座部装置。
【請求項２】
前記クッション部の表地の適所を開閉可能に開口した開口部を構成して、使用者に応じて詰物を交換可能に構成したことを特徴とする請求項１記載の椅子等の座部装置。
【請求項３】
前記クッション部における突出部の適所を開閉可能に開口した開口部を構成して、使用者に応じて詰物を交換可能に構成したことを特徴とする請求項１記載の椅子等の座部装置。
【請求項４】
前記座位箇所は、家具椅子の座位箇所であることを特徴とする請求項１記載の椅子等の座部装置。
【請求項５】
前記座位箇所は、車椅子の座位箇所であることを特徴とする請求項１記載の椅子等の座部装置。
【発明の詳細な説明】
【０００１】
【発明の属する技術分野】
本発明は、座った際に、安定した座位姿勢を保つことができ、且つ臀部の特定箇所に圧力が集中しないようにし、さらには、使用者に応じてクッション部のクッション性を変えられるようにした、椅子等の座部装置に関するものである。
【０００２】
【従来の技術】
従来、車椅子は、高齢者、重傷病患者、歩行障害者にとっては不可欠の備品であり、大多数の使用者が使いやすいように設計がなされている。
かかる車椅子は、非使用時には、保管しやすいようにするために折畳み構造としている。そのため、座部は、ビニールレザーまたはナイロンシート等で形成している。
【０００３】
【発明が解決しようとする課題】
従って、そのような場合、座ると沈み込んでしまい、通常の椅子の椅子のシートに比較して座位保持機能は劣るといわざるを得ず、安定した座位姿勢を保持することは困難である。また、使用者によってシート部の固さが合わないと臀部に体圧が集中して床ずれなどのおそれがある。
本発明は、かかる背景から提案されたものであって、座った際に、安定した座位姿勢を保つことができ、且つ臀部の特定箇所に圧力が集中しないようにし、さらには、使用者に応じてクッション部のクッション性を変えられるようにした、椅子等の座部装置を提供することを目的とする。
【０００４】
【課題を解決するための手段】
前記した課題を解決するために、本発明では、請求項１において、椅子等の座位箇所に、クッション部全体を支える剛体製座板を設け、この座板のうちの腰部を支える箇所を他の箇所に比較して低位置構成の後座部とし、前記クッション部に、前記座板の後座部に対応して、後座部を満たすように肉厚に構成した突出部を設け、前記クッション部の上面を椅子前方側から背もたれ側に向かって低く傾斜形成した構成とする椅子等の座部装置を提案する。
また本発明では、請求項２において、前記クッション部の表地の適所を開閉可能に開口した開口部を構成して、使用者に応じて詰物を交換可能に構成した椅子等の座部装置を提案する。
また本発明では、請求項３において、前記クッション部における突出部の適所を開閉可能に開口した開口部を構成して、使用者に応じて詰物を交換可能に構成した椅子等の座部装置を提案する。
また本発明では、請求項４において、前記座位箇所は、家具椅子の座位箇所である椅子等の座部装置を提案する。
さらに本発明では、請求項５において、前記座位箇所は、車椅子の座位箇所である椅子等の座部装置を提案する。
【０００５】
請求項１によれば、使用者は、座位箇所において、クッション部を介し、剛性のある座板によって安定姿勢を保つことができる。この時、クッション部の上面を椅子前方側から背もたれ側に向かって低く傾斜形成したことで、背もたれと後座部側に体圧がかかり、安定性が増す。臀部における座骨の箇所は、低位置構成の後座部を満たしたクッション部の突出部によって支えられ、クッション部の反発によって座骨にかかる体圧を分散させることができる。
【０００６】
請求項２によれば、クッション部における適所の開口部を通じ、使用者に応じて詰物を交換することで、クッション部の反発性を変えることができる。
【０００７】
請求項３によれば、後座部を満たすように載置されるクッション部の突出部の開口部を通じて、使用者に応じて詰物を交換することで前記突出部の反発性を変えることができ、前記突出部のクッション性によって、効果的に座骨にかかる体圧の分散を図ることができる。
【０００８】
請求項４によれば、使用者は、座位箇所において、クッション部を介し、剛性のある座板によって安定姿勢を保つことができ、しかも、クッション部の上面を椅子前方側から背もたれ側に向かって低く傾斜形成したことで、背もたれと後座部側に体圧がかかり、一層、安定性が高められ、後座部を満たすクッション部の突出部のクッション性によって、効果的に座骨にかかる体圧の分散を図ることができ、椅子を使いやすいものとすることができる。
【０００９】
請求項５によれば、使用者は、座位箇所において、クッション部を介し、剛性のある座板によって安定姿勢を保つことができ、しかも、クッション部の上面を椅子前方側から背もたれ側に向かって低く傾斜形成したことで、背もたれと後座部側に体圧がかかり、一層、安定性が高められ、後座部を満たすクッション部の突出部のクッション性によって、効果的に座骨にかかる体圧の分散を図ることができ、車椅子を使いやすいものとすることができる。
【００１０】
【発明の実施の形態】
次に、本発明にかかる椅子等の座部装置について、車椅子に用いた一つの実施の形態を示すと共に、添付の図面に基づいて、以下説明する。
図１に車椅子１を示し、この車椅子１では、前輪２と、前輪２に比較して大径な後輪３を装着したベースフレーム４と、ベースフレーム４に前記前輪２前方に突出するフットレスト５を保持してなるフットフレーム６と、ベースフレーム４から後輪３上方に延在する背フレーム（図示省略）と背フレームに連なるハンドル部７と、ベースフレーム４における背フレーム取付箇所近傍から、前記フットフレーム６取付箇所にかけて配置してなる座部８と背フレームに沿って配置した背部９とを備え、前記座部８両側面に跳ね上げ、着脱可能なアームレスト装置１０を配置するようにしている。
【００１１】
前記アームレスト装置１０は、前記ベースフレーム４上の、背フレーム取付箇所近傍から、前記フットフレーム６取付箇所にかけて配置してなる支持部材１１と、支持部材１１に装着した肘当部材１２とガードパネル１３とを備え、前記支持部材１１は、前記ベースフレーム４に、背フレーム側の端部を回動着脱支持機構１４を介して取り付ける一方、フットフレーム６取付箇所側の端部をロック機構１５を介して着脱可能に装着する構成としている。
【００１２】
かかるアームレスト装置１０間にある前記座部８は、前記ベースフレーム４上に、例えばボルトなどの固定手段により、着脱可能に装着した座板１６とこの座板１６上に載置したクッション部１７とによって構成してもよい（図２参照）。
前記座板１６は、例えば鋼板をプレス加工、溶接して形成したもので、双方のベースフレーム４上に載置して、ボルト止めする側縁部１６ｓと、フットフレーム６取付箇所寄りに位置させて、膝裏から大腿部にかけて支える前座部１６ｆと、この前座部１６ｆに比較して低位置に段差形成し、腰部を支える後座部１６ｂとを有している（図３参照）。
これら前座部１６ｆおよび後座部１６ｂには、複数の通気用穴ｈを形成している。また、前座部１６ｆおよび側縁部１６ｓ、後座部１６ｂには、それぞれクッション部１７のずれ止め用リブＲを形成している。
さらに、前座部１６ｆの後座部１６ｂ寄り中央と、側縁部１６ｓの背フレーム寄り、そして後座部１６ｂの後縁部に、クッション部１７を滑られないように保持するラバーＲｕを付設している。
【００１３】
そして前記クッション部１７は、周知の適度な反発性を有する詰物（後述）をビニールレザーなどの表地で覆ったもので、底面に、座板１６に隙間なく係合するように、後座部１６ｂに対応する突出部１７ａを設けている。一方、上面は、前座部１６ｆに対応する箇所から後座部１６ｂに対応する箇所にかけて、若干の俯角をなすように傾斜している（図４参照）。
前記クッション部１７の前座部１６ｆに対応する箇所の底面には、所定長さの開口部Ｏを構成し、この開口部ＯにファスナＦ1を付設して開閉可能に構成している（図５参照）。
さらに、前記突出部１７ａの、背部９側に向く端面に沿って開口部Ｏを構成して、この開口部ＯにファスナＦ2を付設して開閉可能に構成している（図６参照）。
【００１４】
ここで、前述のクッション部１７の詰物を具体的に例示する。すなわち、詰物としては、例えばウレタンフォーム、チップウレタン、低反発フォームウレタン、さらには圧力分散ゲル等を挙げることができる。
【００１５】
以上のような座部８を有する車椅子１によれば、車椅子１を使用するに当たり、座板１６は、側縁部１６ｓを、双方のベースフレーム４上に載置して、ボルト止めすることで固定することができる。次いで、クッション部１７を後座部１６ｂに突出部１７ａを満たすように合わせて座板１６に載置する。この時、前座部１６ｆの後座部１６ｂ寄り中央と、側縁部１６ｓの背フレーム寄り、後座部１６ｂの後縁部に付設したラバーＲｕによってクッション部１７を滑らないように保持することができる。
【００１６】
以上のようにして装着した座部８に座ると、適度な反発性を有するクッション部１７を介し、座板１６によって沈み込むことなく安定姿勢を保つことができる。しかもこの時、前記座部８のクッション部１７は、上面が、前座部１６ｆに対応する箇所から後座部１６ｂに対応する箇所にかけて、若干の俯角をなすように傾斜しているので、背部９側と後座部１６ｂ側に体圧がかかり、安定性が増す。
【００１７】
また前記座部８に座ることで、臀部における座骨の箇所は後座部１６ｂにもたらされるが、前座部１６ｆに比較して低位置に段差形成した後座部１６ｂには、クッション部１７のうち、肉厚の突出部１７ａが満たされ、この突出部１７ａにおけるクッション性によって、座骨にかかる体圧を効果的に分散させることができ、長時間座っていても疲れを少なくすることができる。
【００１８】
ところで、クッション部１７のクッション度合が柔らかすぎたり、堅すぎたりして、適切なクッション性が得られないときは、クッション部１７の前座部１６ｆに対応する箇所の底面の開口部ＯをファスナＦ1によって開口し、中の詰物の素材を変える。
また、座板１６の後座部１６ｂに満たされるクッション部１７の突出部１７ａのクッション性も、突出部１７ａの、背部９側に向く端面の開口部ＯにおけるファスナＦ2を開き操作し、詰物を詰め替えことで所望のクッション性を得ることができる。
【００１９】
なお、前述のように座部８の座板１６は取り外しが容易なので、非使用時には、これまでの車椅子のように双方のベースフレーム４を合わせるように折畳んで保管しておくことができる。
【００２０】
以上、本発明にかかる椅子等の座部装置８について、車椅子１に用いた例を挙げ、説明したが、かかる座部８は、勿論、通常の椅子１８に用いることも可能である（図７参照）。
【００２１】
【発明の効果】
本発明によれば、
（１）使用者は、座位箇所において、クッション部を介し、剛性のある座板によって安定姿勢を保つことができる。この時、クッション部の上面を椅子前方側から背もたれ側に向かって低く傾斜形成したことで、背もたれと後座部側に体圧がかかり、安定性が増す。臀部における座骨の箇所は、低位置構成の後座部を満たしたクッション部の突出部によって支えられ、クッション部の反発によって座骨にかかる体圧を分散させることができる。
（２）クッション部における適所の開口部を通じ、使用者に応じて詰物を交換することで、クッション部の反発性を変えることができる。
（３）後座部を満たすように載置されるクッション部の突出部の開口部を通じて、使用者に応じて詰物を交換することで、前記突出部の反発性を変えることができ、前記突出部のクッション性によって、一層効果的に座骨にかかる体圧の分散を図ることができる。
（４）使用者は、座位箇所において、クッション部を介し、剛性のある座板によって安定姿勢を保つことができ、しかも、クッション部の上面を椅子前方側から背もたれ側に向かって低く傾斜形成したことで、背もたれと後座部側に体圧がかかり、一層、安定性が高められ、後座部を満たす突出部のクッション性によって、効果的に座骨にかかる体圧の分散を図ることができ、椅子を使いやすいものとすることができる。
（５）使用者は、座位箇所において、クッション部を介し、剛性のある座板によって安定姿勢を保つことができ、しかも、クッション部の上面を椅子前方側から背もたれ側に向かって低く傾斜形成したことで、背もたれと後座部側に体圧がかかり、一層、安定性が高められ、後座部を満たす突出部のクッション性によって、効果的に座骨にかかる体圧の分散を図ることができ、車椅子を使いやすいものとすることができる。
【００２２】
【図面の簡単な説明】
【図１】本発明にかかる座部装置を用いた車椅子の一例を示した、側面説明図である。
【図２】図１に示す車椅子の座部装置を拡大して示した、要部側面説明図である。
【図３】本発明にかかる座部装置の取付位置を示すと共に、座部の座板、およびクッション部の外観斜視図である。
【図４】図３に示すクッション部の側面図である。
【図５】図３に示すクッション部の底面図である。
【図６】図３に示すクッション部の別側面図である。
【図７】本発明にかかる座部装置を用いた椅子の一例を示す、側面図である。
【符号の説明】
１                        車椅子
２                        前輪
３                        後輪
４                        ベースフレーム
５                        フットレスト
６                        フットフレーム
７                        ハンドル部
８                        座部
９                        背部
１０                      アームレスト装置
１１                      支持部材
１２                      肘当部材
１３                      ガードパネル
１４                      回動着脱支持機構
１５                      ロック機構
１６                      座板
１６ｓ                    側縁部
１６ｆ                    前座部
１６ｂ                    後座部
１７                      クッション部
１７ａ                    突出部
１８                      椅子
ｈ                        通気用穴
Ｒ                        リブ
Ｒｕ                      ラバー
Ｏ                        開口部
【図１】
0003552697.tif 000002
【図２】
0003552697.tif 000003
【図３】
0003552697.tif 000004
【図４】
0003552697.tif 000005
【図５】
0003552697.tif 000006
【図６】
0003552697.tif 000007
【図７】
0003552697.tif 000008